【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
被写体を撮影した医用画像を表示する表示手段を備える診断支援装置であって、
前記医用画像から検出条件に基づいて異常陰影候補を検出する異常陰影候補検出手段と、
前記異常陰影候補検出手段により、検出された異常陰影候補の検出結果と、医用画像の付帯情報とを比較して、異常陰影候補の検出条件毎に検出性能を調査する検出性能調査手段と、
前記検出性能調査手段により調査された異常陰影候補の検出性能を表示手段に表示させるデータ出力手段と、
を備えることを特徴とする診断支援装置。
【請求項２】
前記異常陰影候補検出手段は、異常陰影候補の検出条件として、複数のアルゴリズム又は外部パラメータのうち少なくとも２以上を設定し、
前記異常陰影候補検出手段により設定されたアルゴリズム又は外部パラメータを前記医用画像と対応付けて保存するデータ保存手段を備えることを特徴とする請求項１記載の診断支援装置。
【請求項３】
前記異常陰影候補検出手段は、前記少なくとも２以上設定したアルゴリズム又は外部パラメータを適用し、当該アルゴリズム及び外部パラメータの組み合わせのパターンに基づいて、前記医用画像から異常陰影候補の検出を行い、
前記データ保存手段は、前記異常陰影候補検出手段により検出された異常陰影候補の検出結果と、当該検出条件となるアルゴリズム又は外部パラメータとを対応付けて保存することを特徴とする請求項２記載の診断支援装置。
【請求項４】
前記検出性能調査手段は、前記医用画像の付帯情報と、異常陰影候補の検出結果とに基づいて、検出された異常陰影候補毎に検出結果の真偽を判別し、
前記データ保存手段は、当該判別結果を医用画像と共に保存することを特徴とする請求項２又は３記載の診断支援装置。
【請求項５】
前記検出性能調査手段は、前記検出性能の調査結果として、前記データ保存手段に保存された判別結果に基づいて、適用されたアルゴリズム、外部パラメータ、又はアルゴリズム及び外部パラメータの組み合わせ毎の統計を算出し、算出された統計に基づいて、検出された異常陰影候補の真偽の割合を示すグラフを作成し、
前記データ出力手段は、前記検出性能調査手段により作成されたグラフを表示手段に表示させることを特徴とする請求項４記載の診断支援装置。
【請求項６】
前記検出性能調査手段は、前記検出性能の調査結果として、前記データ保存手段に保存された判別結果に基づいて、適用されたアルゴリズム、外部パラメータ、又はアルゴリズム及び外部パラメータの組み合わせ毎の統計を算出し、算出された統計に基づいて、検出された異常陰影候補の真偽の割合を示す模擬画像を作成し、
前記データ出力手段は、前記検出性能調査手段により作成された模擬画像を表示手段に表示させることを特徴とする請求項４記載の診断支援装置。
【請求項７】
前記データ出力手段は、調査結果として算出された統計に関する数値情報、前記グラフ及び模擬画像のうち少なくとも１つを前記医用画像と共に印刷出力させることを特徴とする請求項５又は６記載の診断支援装置。
【請求項８】
前記医用画像は、乳房単純Ｘ線画像であることを特徴とする請求項１から７の何れか一項に記載の診断支援装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２記載の発明は、請求項１記載の診断支援装置において、
前記異常陰影候補検出手段は、異常陰影候補の検出条件として、複数のアルゴリズム又は外部パラメータのうち少なくとも２以上を設定し、
前記異常陰影候補検出手段により設定されたアルゴリズム又は外部パラメータを前記医用画像と対応付けて保存するデータ保存手段を備えることを特徴としている。
【手続補正５】
【補正対象書類名】明細書
【補正対象項目名】００１３
【補正方法】変更
【補正の内容】
【００１３】
請求項３記載の発明は、請求項２記載の診断支援装置において、
前記異常陰影候補検出手段は、前記少なくとも２以上設定したアルゴリズム又は外部パラメータを適用し、当該アルゴリズム及び外部パラメータの組み合わせのパターンに基づいて、前記医用画像から異常陰影候補の検出を行い、
前記データ保存手段は、前記異常陰影候補検出手段により検出された異常陰影候補の検出結果と、当該検出条件となるアルゴリズム又は外部パラメータを対応付けて保存することを特徴としている。
【手続補正６】
【補正対象書類名】明細書
【補正対象項目名】００１４
【補正方法】変更
【補正の内容】
【００１４】
請求項２又は３記載の発明によれば、データ保存手段に保存された検出条件となるアルゴリズム又は外部パラメータと、異常陰影候補の検出結果を利用することにより、重複する演算を必要とせずに、効率良く異常陰影候補の検出を行うことができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
請求項４記載の発明は、請求項２又は３記載の診断支援装置において、
前記検出性能調査手段は、前記医用画像の付帯情報と、異常陰影候補の検出結果とに基づいて、検出された異常陰影候補毎に検出結果の真偽を判別し、
前記データ保存手段は、当該判別結果を医用画像と共に保存することを特徴とする。
【手続補正１４】
【補正対象書類名】明細書
【補正対象項目名】００２２
【補正方法】変更
【補正の内容】
【００２２】
請求項５記載の発明は、請求項４記載の診断支援装置において、
前記検出性能調査手段は、前記検出性能の調査結果として、前記データ保存手段に保存された判別結果に基づいて、適用されたアルゴリズム、外部パラメータ、又はアルゴリズム及び外部パラメータの組み合わせ毎の統計を算出し、算出された統計に基づいて、検出された異常陰影候補の真偽の割合を示すグラフを作成し、
前記データ出力手段は、前記検出性能調査手段により作成されたグラフを表示手段に表示させることを特徴としている。
【手続補正１５】
【補正対象書類名】明細書
【補正対象項目名】００２３
【補正方法】変更
【補正の内容】
【００２３】
請求項６記載の発明は、請求項４記載の診断支援装置において、
前記検出性能調査手段は、前記検出性能の調査結果として、前記データ保存手段に保存された判別結果に基づいて、適用されたアルゴリズム、外部パラメータ、又はアルゴリズム及び外部パラメータの組み合わせ毎の統計を算出し、算出された統計に基づいて、検出された異常陰影候補の真偽の割合を示す模擬画像を作成し、
前記データ出力手段は、前記検出性能調査手段により作成された模擬画像を表示手段に表示させることを特徴としている。
【手続補正１６】
【補正対象書類名】明細書
【補正対象項目名】００２４
【補正方法】変更
【補正の内容】
【００２４】
請求項５又は６記載の発明によれば、種々の態様により調査結果を表示手段に表示させることにより、的確かつ容易に異常陰影候補の検出性能を認識させることができる。
【手続補正１７】
【補正対象書類名】明細書
【補正対象項目名】００２５
【補正方法】変更
【補正の内容】
【００２５】
請求項７記載の発明は、請求項５又は６記載の診断支援装置において、
前記データ出力手段は、異常陰影候補の調査結果として算出された統計に関する数値情報、前記グラフ及び模擬画像のうち少なくとも１つを前記医用画像と共に印刷出力させることを特徴とする。
【手続補正１８】
【補正対象書類名】明細書
【補正対象項目名】００２６
【補正方法】変更
【補正の内容】
【００２６】
請求項７記載の発明によれば、調査結果として算出された統計に関する数値情報、前記グラフ及び模擬画像を確実に記録媒体に記録してデータを保存することができる。
【手続補正１９】
【補正対象書類名】明細書
【補正対象項目名】００２７
【補正方法】変更
【補正の内容】
【００２７】
請求項８記載の発明は、請求項１から７の何れか一項に記載の診断支援装置において、
前記医用画像は、乳房単純Ｘ線画像であることを特徴としている。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】